【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
ワイヤレス通信デバイス中で、前記デバイスが特殊動作状態にある間に、フレームデータを選択的にデコードするための方法において、
１つ以上のデータバーストとメッセージ表示フィールドを有するフレーム制御ヘッダとを含むフレームデータを受信することと、
前記データバーストをデコードする前に、前記フレーム制御ヘッダをデコードすることと、
前記特殊動作状態に関連したメッセージを前記データバーストが含んでいることを、前記メッセージ表示フィールド中の１つ以上のビットが示す場合に、前記データバーストのうちの１つ以上のものをデコードすることと、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つこととを含む方法。
【請求項２】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードすることを含む請求項１記載の方法。
【請求項３】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、前記デバイスに宛てられているトラフィックの到着を表すメッセージを前記データバーストが含んでいることを、前記メッセージ表示フィールド中の１つ以上のビットが示す場合に、前記データバーストをデコードすることを含む請求項１記載の方法。
【請求項４】
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つことは、
前記スリープモードのスリープ間隔に対して１つ以上のコンポーネントを電力切断することと、
前記スリープモードのリスニング間隔の間に、前記電源切断されたコンポーネントを電源投入することとを含む請求項３記載の方法。
【請求項５】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードすることは、前記デバイスが基地局に位置更新を提供する必要性を表すページングメッセージを前記データバーストが含んでいることを、前記メッセージ表示フィールド中の１つ以上のビットが示す場合に、前記データバーストをデコードすることを含む請求項１記載の方法。
【請求項６】
特殊動作状態に関連したメッセージをデータのフレームが含んでいることを、前記特殊動作状態のワイヤレス通信デバイスにシグナリングするための方法において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させることと、
前記フレーム制御ヘッダを送信することとを含む方法。
【請求項７】
関連したメッセージの存在の肯定表示として、前記メッセージ表示フィールド中の１つ以上のビットを設定することと、
データバースト中で前記関連したメッセージを送信することとをさらに含む請求項６記載の方法。
【請求項８】
前記データバースト中に特定タイプの関連したメッセージが含まれていることを示すように、前記メッセージ表示フィールドの特定のビットを設定することをさらに含む請求項６記載の方法。
【請求項９】
前記データバースト中に特定タイプの関連したメッセージが含まれていることを示すように、前記メッセージ表示フィールドの特定のビットを設定することは、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定することを含む請求項８記載の方法。
【請求項１０】
前記データバースト中に特定タイプの関連したメッセージが含まれていることを示すように、前記メッセージ表示フィールドの特定のビットを設定することは、
前記デバイスに宛てられているトラフィックの到着を表すメッセージを前記データバーストが含んでいることを示すように、前記メッセージ表示フィールドの特定のビットを設定することを含む請求項８記載の方法。
【請求項１１】
前記データバースト中に特定タイプの関連したメッセージが含まれていることを示すように、前記メッセージ表示フィールドの特定のビットを設定することは、
前記デバイスが基地局に位置更新を提供する必要性を表すページングメッセージを前記データバーストが含んでいることを示すように、前記メッセージ表示フィールドの特定のビットを設定することを含む請求項８記載の方法。
【請求項１２】
特殊動作状態の間に、フレームデータを選択的にデコードする移動局において、
１つ以上のデータバーストとメッセージ表示フィールドを有するフレーム制御ヘッダとを含むフレームデータを受信する論理と、
前記データバーストをデコードする前に、前記フレーム制御ヘッダをデコードする論理と、
前記特殊動作状態に関連したメッセージを前記データバーストが含んでいることを、前記メッセージ表示フィールド中の１つ以上のビットが示す場合に、前記データバーストのうちの１つ以上のものをデコードする論理と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ論理とを具備する移動局。
【請求項１３】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている請求項１２記載の移動局。
【請求項１４】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、前記移動局に宛てられているトラフィックの到着を表すメッセージを前記データバーストが含んでいることを、前記メッセージ表示フィールド中の１つ以上のビットが示す場合に、前記データバーストをデコードするように構成されている請求項１２記載の移動局。
【請求項１５】
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ論理は、
前記スリープモードのスリープ間隔に対して１つ以上のコンポーネントを電力切断し、
前記スリープモードのリスニング間隔の間に、前記電源切断されたコンポーネントを電源投入するように構成されている請求項１４記載の移動局。
【請求項１６】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする論理は、前記移動局が基地局に位置更新を提供する必要性を表すページングメッセージを前記データバーストが含んでいることを、前記メッセージ表示フィールド中の１つ以上のビットが示す場合に、前記データバーストをデコードするように構成されている請求項１２記載の移動局。
【請求項１７】
ワイヤレス通信デバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる論理と、
前記フレーム制御ヘッダを送信する論理とを具備する装置。
【請求項１８】
前記フレーム制御ヘッダを発生させる論理は、関連したメッセージの存在の肯定表示として、前記メッセージ表示フィールド中の１つ以上のビットを設定するように構成されている請求項１７記載の装置。
【請求項１９】
前記フレーム制御ヘッダを発生させる論理は、前記データバースト中に特定タイプの関連したメッセージが含まれていることを示すために、前記メッセージ表示フィールドの特定のビットを設定するように構成されている請求項１７記載の装置。
【請求項２０】
前記フレーム制御ヘッダを発生させる論理は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている請求項１９記載の装置。
【請求項２１】
前記フレーム制御ヘッダを発生させる論理は、前記デバイスに宛てられているトラフィックの到着を表すメッセージを前記データバーストが含んでいることを示すために、前記メッセージ表示フィールドの特定のビットを設定するように構成されている請求項１９記載の装置。
【請求項２２】
前記フレーム制御ヘッダを発生させる論理は、前記デバイスが基地局に位置更新を提供する必要性を表すページングメッセージを前記データバーストが含んでいることを示すために、前記メッセージ表示フィールドの特定のビットを設定するように構成されている請求項１９記載の装置。
【請求項２３】
特殊動作状態の間に、フレームデータを選択的にデコードする移動局において、
１つ以上のデータバーストとメッセージ表示フィールドを有するフレーム制御ヘッダとを含むフレームデータを受信する手段と、
前記データバーストをデコードする前に、前記フレーム制御ヘッダをデコードする手段と、
前記特殊動作状態に関連したメッセージを前記データバーストが含んでいることを、前記メッセージ表示フィールド中の１つ以上のビットが示す場合に、前記データバーストのうちの１つ以上のものをデコードする手段と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ手段とを具備する移動局。
【請求項２４】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている請求項２３記載の移動局。
【請求項２５】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、前記移動局に宛てられているトラフィックの到着を表すメッセージを前記データバーストが含んでいることを、前記メッセージ表示フィールド中の１つ以上のビットが示す場合に、前記データバーストをデコードするように構成されている請求項２３記載の移動局。
【請求項２６】
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ手段は、
前記スリープモードのスリープ間隔に対して１つ以上のコンポーネントを電力切断し、
前記スリープモードのリスニング間隔の間に、前記電源切断されたコンポーネントを電源投入するように構成されている請求項２５記載の移動局。
【請求項２７】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする手段は、前記移動局が基地局に位置更新を提供する必要性を表すページングメッセージを前記データバーストが含んでいることを、前記メッセージ表示フィールド中の１つ以上のビットが示す場合に、前記データバーストをデコードするように構成されている請求項２３記載の移動局。
【請求項２８】
ワイヤレス通信デバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる手段と、
前記フレーム制御ヘッダを送信する手段とを具備する装置。
【請求項２９】
前記フレーム制御ヘッダを発生させる手段は、関連したメッセージの存在の肯定表示として、前記メッセージ表示フィールド中の１つ以上のビットを設定するように構成されている請求項２８記載の装置。
【請求項３０】
前記フレーム制御ヘッダを発生させる手段は、前記データバースト中に特定タイプの関連したメッセージが含まれていることを示すために、前記メッセージ表示フィールドの特定のビットを設定するように構成されている請求項２８記載の装置。
【請求項３１】
前記フレーム制御ヘッダを発生させる手段は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている請求項３０記載の装置。
【請求項３２】
前記フレーム制御ヘッダを発生させる手段は、前記デバイスに宛てられているトラフィックの到着を表すメッセージを前記データバーストが含んでいることを示すために、前記メッセージ表示フィールドの特定のビットを設定するように構成されている請求項３０記載の装置。
【請求項３３】
前記フレーム制御ヘッダを発生させる手段は、前記デバイスが基地局に位置更新を提供する必要性を表すページングメッセージを前記データバーストが含んでいることを示すために、前記メッセージ表示フィールドの特定のビットを設定するように構成されている請求項３０記載の装置。
【請求項３４】
この上に記憶されている１組の命令を持ち、ワイヤレス通信デバイス中で、前記デバイスが特殊動作状態にある間に、フレームデータを選択的にデコードするようにデータを処理するためのコンピュータ読取可能記憶媒体において、
前記１組の命令は、１つ以上のプロセッサにより実行可能であり、
前記１組の命令は、
１つ以上のデータバーストとメッセージ表示フィールドを有するフレーム制御ヘッダとを含むフレームデータを受信するための命令と、
前記データバーストをデコードする前に、前記フレーム制御ヘッダをデコードするための命令と、
前記特殊動作状態に関連したメッセージを前記データバーストが含んでいることを、前記メッセージ表示フィールド中の１つ以上のビットが示す場合に、前記データバーストのうちの１つ以上のものをデコードするための命令と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つための命令と含むコンピュータ読取可能記憶媒体。
【請求項３５】
前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするための命令を含む請求項３４記載のコンピュータ読取可能記憶媒体。
【請求項３６】
前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、前記デバイスに宛てられているトラフィックの到着を表すメッセージを前記データバーストが含んでいることを、前記メッセージ表示フィールド中の１つ以上のビットが示す場合に、前記データバーストをデコードするための命令を含む請求項３４記載のコンピュータ読取可能記憶媒体。
【請求項３７】
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つための命令は、
前記スリープモードのスリープ間隔に対して１つ以上のコンポーネントを電力切断するための命令と、
前記スリープモードのリスニング間隔の間に、前記電源切断されたコンポーネントを電源投入するための命令とを含む請求項３６記載のコンピュータ読取可能記憶媒体。
【請求項３８】
前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードするための命令は、前記デバイスが基地局に位置更新を提供する必要性を表すページングメッセージを前記データバーストが含んでいることを、前記メッセージ表示フィールド中の１つ以上のビットが示す場合に、前記データバーストをデコードするための命令を含む請求項３４記載のコンピュータ読取可能記憶媒体。
【請求項３９】
この上に記憶されている１組の命令を持ち、特殊動作状態に関連したメッセージをデータのフレームが含んでいることを前記特殊動作状態のワイヤレス通信デバイスにシグナリングするようにデータを処理するためのコンピュータ読取可能記憶媒体において、
前記１組の命令は、１つ以上のプロセッサにより実行可能であり、
前記１組の命令は、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させるための命令と、
前記フレーム制御ヘッダを送信するための命令とを含むコンピュータ読取可能記憶媒体。
【請求項４０】
関連したメッセージの存在の肯定表示として、前記メッセージ表示フィールド中の１つ以上のビットを設定するための命令と、
データバースト中で前記関連したメッセージを送信するための命令とをさらに含む請求項３９記載のコンピュータ読取可能記憶媒体。
【請求項４１】
前記データバースト中に特定タイプの関連したメッセージが含まれていることを示すように、前記メッセージ表示フィールドの特定のビットを設定するための命令をさらに含む請求項３９記載のコンピュータ読取可能記憶媒体。
【請求項４２】
前記データバースト中に特定タイプの関連したメッセージが含まれていることを示すように、前記メッセージ表示フィールドの特定のビットを設定するための命令は、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定するための命令を含む請求項４１記載のコンピュータ読取可能記憶媒体。
【請求項４３】
前記データバースト中に特定タイプの関連したメッセージが含まれていることを示すように、前記メッセージ表示フィールドの特定のビットを設定するための命令は、
前記デバイスに宛てられているトラフィックの到着を表すメッセージを前記データバーストが含んでいることを示すように、前記メッセージ表示フィールドの特定のビットを設定するための命令を含む請求項４１記載のコンピュータ読取可能記憶媒体。
【請求項４４】
前記データバースト中に特定タイプの関連したメッセージが含まれていることを示すように、前記メッセージ表示フィールドの特定のビットを設定するための命令は、
前記デバイスが基地局に位置更新を提供する必要性を表すページングメッセージを前記データバーストが含んでいることを示すように、前記メッセージ表示フィールドの特定のビットを設定するための命令を含む請求項４１記載のコンピュータ読取可能記憶媒体。
【手続補正２】
【補正対象書類名】明細書
【補正対象項目名】００７７
【補正方法】変更
【補正の内容】
【００７７】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
以下に、本願出願時の特許請求の範囲に記載された発明を付記する。
〔１〕ワイヤレス通信デバイス中で、前記デバイスが特殊動作状態にある間に、フレームデータを選択的にデコードするための方法において、
１つ以上のデータバーストとメッセージ表示フィールドを有するフレーム制御ヘッダとを含むフレームデータを受信することと、
前記データバーストをデコードする前に、前記フレーム制御ヘッダをデコードすることと、
前記特殊動作状態に関連したメッセージを前記データバーストが含んでいることを、前記メッセージ表示フィールド中の１つ以上のビットが示す場合に、前記データバーストのうちの１つ以上のものをデコードすることと、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つこととを含む方法。
〔２〕前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードすることを含む〔１〕記載の方法。
〔３〕前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードすることは、前記デバイスに宛てられているトラフィックの到着を表すメッセージを前記データバーストが含んでいることを、前記メッセージ表示フィールド中の１つ以上のビットが示す場合に、前記データバーストをデコードすることを含む〔１〕記載の方法。
〔４〕前記特殊動作状態に関連したメッセージを前記データバーストが含んでいることを、前記メッセージ表示フィールド中の１つ以上のビットが示す場合に、前記データバーストをデコードすることなく、後続のフレームデータを待つことは、
前記スリープモードのスリープ間隔に対して１つ以上のコンポーネントを電力切断することと、
前記スリープモードのリスニング間隔の間に、前記電源切断されたコンポーネントを電源投入することとを含む〔３〕記載の方法。
〔５〕前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードすることは、前記デバイスが基地局に位置更新を提供する必要性を表すページングメッセージを前記データバーストが含んでいることを、前記メッセージ表示フィールド中の１つ以上のビットが示す場合に、前記データバーストをデコードすることを含む〔１〕記載の方法。
〔６〕特殊動作状態に関連したメッセージをデータのフレームが含んでいることを、前記特殊動作状態のワイヤレス通信デバイスにシグナリングするための方法において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させることと、
前記フレーム制御ヘッダを送信することとを含む方法。
〔７〕関連したメッセージの存在の肯定表示として、前記メッセージ表示フィールド中の１つ以上のビットを設定することと、
データバースト中で前記関連したメッセージを送信することとをさらに含む〔６〕記載の方法。
〔８〕前記データバースト中に特定タイプの関連したメッセージが含まれていることを示すように、前記メッセージ表示フィールドの特定のビットを設定することをさらに含む〔６〕記載の方法。
〔９〕前記データバースト中に特定タイプの関連したメッセージが含まれていることを示すように、前記メッセージ表示フィールドの特定のビットを設定することは、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定することを含む〔８〕記載の方法。
〔１０〕前記データバースト中に特定タイプの関連したメッセージが含まれていることを示すように、前記メッセージ表示フィールドの特定のビットを設定することは、
前記デバイスに宛てられているトラフィックの到着を表すメッセージを前記データバーストが含んでいることを示すように、前記メッセージ表示フィールドの特定のビットを設定することを含む〔８〕記載の方法。
〔１１〕前記データバースト中に特定タイプの関連したメッセージが含まれていることを示すように、前記メッセージ表示フィールドの特定のビットを設定することは、
前記デバイスが基地局に位置更新を提供する必要性を表すページングメッセージを前記データバーストが含んでいることを示すように、前記メッセージ表示フィールドの特定のビットを設定することを含む〔８〕記載の方法。
〔１２〕特殊動作状態の間に、フレームデータを選択的にデコードする移動局において、
１つ以上のデータバーストとメッセージ表示フィールドを有するフレーム制御ヘッダとを含むフレームデータを受信する論理と、
前記データバーストをデコードする前に、前記フレーム制御ヘッダをデコードする論理と、
前記特殊動作状態に関連したメッセージを前記データバーストが含んでいることを、前記メッセージ表示フィールド中の１つ以上のビットが示す場合に、前記データバーストのうちの１つ以上のものをデコードする論理と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ論理とを具備する移動局。
〔１３〕前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている〔１２〕記載の移動局。
〔１４〕前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする論理は、前記デバイスに宛てられているトラフィックの到着を表すメッセージを前記データバーストが含んでいることを、前記メッセージ表示フィールド中の１つ以上のビットが示す場合に、前記データバーストをデコードするように構成されている〔１２〕記載の移動局。
〔１５〕前記特殊動作状態に関連したメッセージを前記データバーストが含んでいることを、前記メッセージ表示フィールド中の１つ以上のビットが示す場合に、前記データバーストをデコードすることなく、後続のフレームデータを待つ論理は、
前記スリープモードのスリープ間隔に対して１つ以上のコンポーネントを電力切断し、
前記スリープモードのリスニング間隔の間に、前記電源切断されたコンポーネントを電源投入するように構成されている〔１４〕記載の移動局。
〔１６〕前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする論理は、前記デバイスが基地局に位置更新を提供する必要性を表すページングメッセージを前記データバーストが含んでいることを、前記メッセージ表示フィールド中の１つ以上のビットが示す場合に、前記データバーストをデコードするように構成されている〔１２〕記載の移動局。
〔１７〕ワイヤレスデバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる論理と、
前記フレーム制御ヘッダを送信する論理とを具備する装置。
〔１８〕前記フレーム制御ヘッダを発生させる論理は、関連したメッセージの存在の肯定表示として、前記メッセージ表示フィールド中の１つ以上のビットを設定するように構成されている〔１７〕記載の装置。
〔１９〕前記フレーム制御ヘッダを発生させる論理は、前記データバースト中に特定タイプの関連したメッセージが含まれていることを示すために、前記メッセージ表示フィールドの特定のビットを設定するように構成されている〔１７〕記載の装置。
〔２０〕前記フレーム制御ヘッダを発生させる論理は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている〔１９〕記載の装置。
〔２１〕前記フレーム制御ヘッダを発生させる論理は、前記デバイスに宛てられているトラフィックの到着を表すメッセージを前記データバーストが含んでいることを示すために、前記メッセージ表示フィールドの特定のビットを設定するように構成されている〔１９〕記載の装置。
〔２２〕前記フレーム制御ヘッダを発生させる論理は、前記デバイスが基地局に位置更新を提供する必要性を表すページングメッセージを前記データバーストが含んでいることを示すために、前記メッセージ表示フィールドの特定のビットを設定するように構成されている〔１９〕記載の装置。
〔２３〕特殊動作状態の間に、フレームデータを選択的にデコードする移動局において、
１つ以上のデータバーストとメッセージ表示フィールドを有するフレーム制御ヘッダとを含むフレームデータを受信する手段と、
前記データバーストをデコードする前に、前記フレーム制御ヘッダをデコードする手段と、
前記特殊動作状態に関連したメッセージを前記データバーストが含んでいることを、前記メッセージ表示フィールド中の１つ以上のビットが示す場合に、前記データバーストのうちの１つ以上のものをデコードする手段と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つ手段とを具備する移動局。
〔２４〕前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするように構成されている〔２３〕記載の移動局。
〔２５〕前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードする手段は、前記デバイスに宛てられているトラフィックの到着を表すメッセージを前記データバーストが含んでいることを、前記メッセージ表示フィールド中の１つ以上のビットが示す場合に、前記データバーストをデコードするように構成されている〔２３〕記載の移動局。
〔２６〕前記特殊動作状態に関連したメッセージを前記データバーストが含んでいることを、前記メッセージ表示フィールド中の１つ以上のビットが示す場合に、前記データバーストをデコードすることなく、後続のフレームデータを待つ手段は、
前記スリープモードのスリープ間隔に対して１つ以上のコンポーネントを電力切断し、
前記スリープモードのリスニング間隔の間に、前記電源切断されたコンポーネントを電源投入するように構成されている〔２５〕記載の移動局。
〔２７〕前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードする手段は、前記デバイスが基地局に位置更新を提供する必要性を表すページングメッセージを前記データバーストが含んでいることを、前記メッセージ表示フィールド中の１つ以上のビットが示す場合に、前記データバーストをデコードするように構成されている〔２３〕記載の移動局。
〔２８〕ワイヤレスデバイスの特殊動作状態に関連したメッセージをデータのフレームが含んでいることをシグナリングする装置において、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させる手段と、
前記フレーム制御ヘッダを送信する手段とを具備する装置。
〔２９〕前記フレーム制御ヘッダを発生させる手段は、関連したメッセージの存在の肯定表示として、前記メッセージ表示フィールド中の１つ以上のビットを設定するように構成されている〔２８〕記載の装置。
〔３０〕前記フレーム制御ヘッダを発生させる手段は、前記データバースト中に特定タイプの関連したメッセージが含まれていることを示すために、前記メッセージ表示フィールドの特定のビットを設定するように構成されている〔２８〕記載の装置。
〔３１〕前記フレーム制御ヘッダを発生させる手段は、アップリンクチャネル記述（ＵＣＤ）とダウンリンクチャネル記述（ＤＣＤ）とのうちの少なくとも１つを前記データバーストが含んでいることを示すために、前記メッセージ表示フィールドの特定のビットを設定するように構成されている〔３０〕記載の装置。
〔３２〕前記フレーム制御ヘッダを発生させる手段は、前記デバイスに宛てられているトラフィックの到着を表すメッセージを前記データバーストが含んでいることを示すために、前記メッセージ表示フィールドの特定のビットを設定するように構成されている〔３０〕記載の装置。
〔３３〕前記フレーム制御ヘッダを発生させる手段は、前記デバイスが基地局に位置更新を提供する必要性を表すページングメッセージを前記データバーストが含んでいることを示すために、前記メッセージ表示フィールドの特定のビットを設定するように構成されている〔３０〕記載の装置。
〔３４〕ワイヤレス通信デバイス中で、前記デバイスが特殊動作状態にある間に、フレームデータを選択的にデコードするために、データを処理するためのコンピュータプログラムプロダクトにおいて、
この上に記憶されている１組の命令を持つコンピュータ読取可能媒体を具備し、
前記１組の命令は、１つ以上のプロセッサにより実行可能であり、
前記１組の命令は、
１つ以上のデータバーストとメッセージ表示フィールドを有するフレーム制御ヘッダとを含むフレームデータを受信するための命令と、
前記データバーストをデコードする前に、前記フレーム制御ヘッダをデコードするための命令と、
前記特殊動作状態に関連したメッセージを前記データバーストが含んでいることを、前記メッセージ表示フィールド中の１つ以上のビットが示す場合に、前記データバーストのうちの１つ以上のものをデコードするための命令と、
前記特殊動作状態に関連したメッセージを前記データバーストが含んでいないことを、前記メッセージ表示フィールド中の１つ以上のビットが示す場合に、前記データバーストをデコードすることなく、後続のフレームデータを待つための命令と含むコンピュータプログラムプロダクト。
〔３５〕前記特殊動作状態は、初期捕捉状態を含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、アップリンクチャネル記述（ＵＣＤ）とダウンリンクチャネル記述（ＤＣＤ）とのうちの少なくとも１つを前記データバーストが含んでいることを、前記メッセージ表示フィールド中の１つ以上のビットが示す場合に、前記データバーストをデコードするための命令を含む〔３４〕記載のコンピュータプログラムプロダクト。
〔３６〕前記特殊動作状態は、スリープモードを含み、
前記特殊動作状態に関連したメッセージを前記データバーストが含んでいることを、前記メッセージ表示フィールド中の１つ以上のビットが示す場合に、前記データバーストのうちの１つ以上のものをデコードするための命令は、前記デバイスに宛てられているトラフィックの到着を表すメッセージを前記データバーストが含んでいることを、前記メッセージ表示フィールド中の１つ以上のビットが示す場合に、前記データバーストをデコードするための命令を含む〔３４〕記載のコンピュータプログラムプロダクト。
〔３７〕前記特殊動作状態に関連したメッセージを前記データバーストが含んでいることを、前記メッセージ表示フィールド中の１つ以上のビットが示す場合に、前記データバーストをデコードすることなく、後続のフレームデータを待つための命令は、
前記スリープモードのスリープ間隔に対して１つ以上のコンポーネントを電力切断するための命令と、
前記スリープモードのリスニング間隔の間に、前記電源切断されたコンポーネントを電源投入するための命令とを含む〔３６〕記載のコンピュータプログラムプロダクト。
〔３８〕前記特殊動作状態は、アイドルモードを含み、
前記特殊動作状態に関連したメッセージを前記データバーストが含んでいることを、前記メッセージ表示フィールド中の１つ以上のビットが示す場合に、前記データバーストをデコードするための命令は、前記デバイスが基地局に位置更新を提供する必要性を表すページングメッセージを前記データバーストが含んでいることを、前記メッセージ表示フィールド中の１つ以上のビットが示す場合に、前記データバーストをデコードするための命令を含む〔３４〕記載のコンピュータプログラムプロダクト。
〔３９〕特殊動作状態に関連したメッセージをデータのフレームが含んでいることを、前記特殊動作状態のワイヤレス通信デバイスにシグナリングするために、データを処理するためのコンピュータプログラムプロダクトにおいて、
この上に記憶されている１組の命令を持つコンピュータ読取可能媒体を具備し、
前記１組の命令は、１つ以上のプロセッサにより実行可能であり、
前記１組の命令は、
前記ワイヤレス通信デバイスの前記特殊動作状態に関連したメッセージが前記フレームの対応するデータバースト中に含まれていることを示すための１つ以上のビットを持つメッセージ表示フィールドを有する、フレームに対するフレーム制御ヘッダを発生させるための命令と、
前記フレーム制御ヘッダを送信するための命令とを含むコンピュータプログラムプロダクト。
〔４０〕関連したメッセージの存在の肯定表示として、前記メッセージ表示フィールド中の１つ以上のビットを設定するための命令と、
データバースト中で前記関連したメッセージを送信するための命令とをさらに含む〔３９〕記載のコンピュータプログラムプロダクト。
〔４１〕前記データバースト中に特定タイプの関連したメッセージが含まれていることを示すように、前記メッセージ表示フィールドの特定のビットを設定するための命令をさらに含む〔３９〕記載のコンピュータプログラムプロダクト。
〔４２〕前記データバースト中に特定タイプの関連したメッセージが含まれていることを示すように、前記メッセージ表示フィールドの特定のビットを設定するための命令は、
アップリンクチャネル記述（ＵＣＤ）とダウンリンクチャネル記述（ＤＣＤ）とのうちの少なくとも１つを前記データバーストが含んでいることを示すように、前記メッセージ表示フィールドの特定のビットを設定するための命令を含む〔４１〕記載のコンピュータプログラムプロダクト。
〔４３〕前記データバースト中に特定タイプの関連したメッセージが含まれていることを示すように、前記メッセージ表示フィールドの特定のビットを設定するための命令は、
前記デバイスに宛てられているトラフィックの到着を表すメッセージを前記データバーストが含んでいることを示すように、前記メッセージ表示フィールドの特定のビットを設定するための命令を含む〔４１〕記載のコンピュータプログラムプロダクト。
〔４４〕前記データバースト中に特定タイプの関連したメッセージが含まれていることを示すように、前記メッセージ表示フィールドの特定のビットを設定するための命令は、
前記デバイスが基地局に位置更新を提供する必要性を表すページングメッセージを前記データバーストが含んでいることを示すように、前記メッセージ表示フィールドの特定のビットを設定するための命令を含む〔４１〕記載のコンピュータプログラムプロダクト。